(57)【要約】【課題】標準電波信号の受信成功率を向上させ、かつ、効率のよい時刻修正が可能な電波修正時計を提供する。  【解決手段】内部時計１の周辺の温度を温度センサ６を用いて測定し、水晶発振子５の測定温度と標準温度での周波数誤差を算出し、前記周波数誤差を所定時間累積する。また、標準電波信号に含まれる包絡線検波出力信号Ｓ２３が所定時間内に内部カウンタ３２〜３４に何クロック入力されるかをカウントする。前記累積周波数誤差とカウント値より、時刻修正に必要な情報を取捨選択して受信し、効率のよい時刻修正を行う。【選択図】図１
2008032583.tif 000002
【特許請求の範囲】
【請求項１】
標準時刻信号を含む電波信号を受信して、内部時計の時刻修正を行う電波修正時計であって、
上記電波信号を受信する受信手段と、
上記受信手段において、受信した上記電波信号を所定時間監視し、当該監視時間に上記時刻修正に必要な少なくとも一つの時刻情報を取得すると、当該取得した時刻情報により、上記内部時計の時刻修正をする制御手段と
を有する電波修正時計。
【請求項２】
上記受信手段は、上記電波信号の包絡線検波信号を出力し、
上記制御手段は所定時間上記包絡線検波信号をカウントし、当該カウント値に応じて、上記時刻情報を取得する
請求項１記載の電波修正時計。
【請求項３】
上記制御手段は、秒情報と分情報と時情報としてカウント値を得、それぞれ設定カウント値が、異なる三つのカウンタを有し、上記所定時間内にいずれのカウンタが上記カウント値に達したか否かによって、時刻修正のための時刻情報を取得する
請求項２の電波修正時計。
【請求項４】
所定周波数で発振する発振手段と、
上記発振手段の周囲温度を検出する検出手段と、
上記制御手段は、上記発振手段の温度特性に関する情報と上記検出手段の検出結果に基づいて、上記発振手段の周波数と標準温度での上記発振手段の周波数との誤差を検出し、算出した誤差情報により、修正すべき時刻を補正する
請求項１から３のいずれか一に記載の電波修正時計。
【請求項５】
上記検出手段は、上記発振手段の温度特性に関する情報に基づいて上記発振手段の周波数と標準温度での上記発振手段の周波数との誤差を検出する
請求項１から４のいずれか一に記載の電波修正時計。
【請求項６】
上記検出手段は、上記発振手段の温度特性に関する情報に基づいて上記発振手段の周波数と標準温度での上記発振手段の周波数との誤差を検出し、当該誤差を所定時間累積する
請求項１から５記載のいずれか一に記載の電波修正時計。
【請求項７】
上記制御手段は、上記所定時間内に取得可能な情報を報知する少なくとも一つの報知手段を有する
請求項１から４のいずれか一に記載の電波修正時計。
【発明の詳細な説明】
【技術分野】
【０００１】
本発明は、例えば、標準時刻信号を含む電波信号を受信して、時刻修正を行う電波修正時計に関するものである。
【背景技術】
【０００２】
従来、例えば佐賀県に設置された標準電波放送局から周波数６０ｋＨｚで送信された標準時刻電波信号や、福島県に設置された標準電波放送局から周波数４０ｋＨｚで送信された標準時刻電波信号を受信し、その標準時刻電波信号に基づいて時刻修正を行う電波修正時計が知られている。（例えば、特許文献１参照。）
【特許文献１】特開２００４−３４０７４９号公報
【発明の開示】
【発明が解決しようとする課題】
【０００３】
電波修正時計は、所定の時刻になると電波信号を受信し、受信した電波信号に含まれる時刻情報に基づいて表示する時刻を修正し、常に正確な時刻を表示するように構成されている。
【０００４】
従来の電波修正時計では、電波信号から時刻修正に必要な情報を連続して受信し、時刻修正を行っているため、信号の一部にノイズが混入すると電波信号から正確な情報の取得が困難になり、時刻修正に支障をきたすことがある。
【０００５】
また、所定時刻毎に電波信号から秒情報、分情報、時情報などすべての情報を受信して時刻修正を行うため、標準時刻から秒単位でしか時刻がずれていなくても、秒、分、時単位で時刻修正するため、時刻修正に時間がかかるという問題点がある。
【０００６】
本発明は、かかる事情に鑑みてなされたものであり、その目的は、ノイズによる時刻修正への影響を低減し、かつ時刻修正にかかる時間を短縮する、効率のよい時刻修正を行うことができる電波修正時計を提供することにある。
【課題を解決するための手段】
【０００７】
上記目的を達成するために、本発明の電波修正時計は、標準時刻信号を含む電波信号を受信して、内部時計の時刻修正を行う電波修正時計であって、上記電波信号を受信する受信手段と、上記受信手段において、受信した上記電波信号を所定時間監視し、当該監視時間に上記時刻修正に必要な少なくとも一つの時刻情報を取得すると、当該取得した時刻情報により、上記内部時計の時刻修正をする制御手段とを有する。
【０００８】
本発明は、上記受信手段は、上記電波信号の包絡線検波信号を出力し、上記制御手段は所定時間上記包絡線検波信号をカウントし、当該カウント値に応じて、上記時刻情報を取得する。
【０００９】
本発明は、上記制御手段は、秒情報と分情報と時情報としてカウント値を得、それぞれ設定カウント値が、異なる三つのカウンタを有し、上記所定時間内にいずれのカウンタが上記カウント値に達したか否かによって、時刻修正のための時刻情報を取得する。
【００１０】
本発明は、所定周波数で発振する発振手段と、上記発振手段の周囲温度を検出する検出手段と、上記制御手段は、上記発振手段の温度特性に関する情報と上記検出手段の検出結果に基づいて、上記発振手段の周波数と標準温度での上記発振手段の周波数との誤差を検出し、算出した誤差情報により、修正すべき時刻を補正する。
【００１１】
本発明は、上記検出手段は、上記発振手段の温度特性に関する情報に基づいて上記発振手段の周波数と標準温度での上記発振手段の周波数との誤差を検出し、当該誤差を所定時間累積する。
【００１２】
また、本発明は、上記所定時間内に取得可能な情報を報知する少なくとも一つの報知手段を有する。
【発明の効果】
【００１３】
本発明によれば、ノイズによる時刻修正への影響を低減することができる。
【００１４】
また、本発明によれば、時刻修正にかかる時間を最小限に抑えることができ、効率のよい時刻修正を行うことができる。
【発明を実施するための最良の形態】
【００１５】
以下、本発明の実施の形態を添付図面に関連付けて説明する。
【００１６】
図１は、本発明に係る電波修正時計の信号処理系の一実施形態を示すブロック図である。
本実施形態に係る電波修正時計１は、標準電波放送局から送信される標準時刻信号を含む標準電波信号を受信し、受信結果に基づいて内部で計時される時刻を修正する。
【００１７】
本実施の形態に係る電波修正時計１の信号処理系回路は、受信手段としての標準電波信号受信系２、制御回路３、包絡線検波信号Ｓ２３を条件に応じて取捨選択するゲート群４、水晶発振子５、温度センサ部６、時刻修正の実行を報知する報知回路７を有する。
【００１８】
標準電波信号受信系２は、受信アンテナ２１と受信装置２２とを有する。
受信アンテナ２１は、標準電波放送局から送信された標準時刻信号を受信する。
受信装置２２は、受信アンテナより受信した標準時刻信号が入力され、包絡線検波信号Ｓ２３を出力する。
【００１９】
図２は、図１に示した電波修正時計で受信される標準電波信号に含まれる時刻信号の一具体例を示すものである。
図２（ａ）は標準電波信号の一具体例を示す図、図２（ｂ）は受信装置からの出力波形の一具体例を示す図である。図２（ｃ）は電波が非常に弱い場合の出力波形の一具体例を示す図、図２（ｄ）はノイズが多い場合の出力波形の一具体例を示す図である。
【００２０】
たとえば、日本標準時を高精度で伝える長波の標準電波ＪＪＹは、図２（ａ）に示すような形態で送られてくる。
具体的には、ＪＪＹの標準時刻信号（タイムコードとも言う）は、「１」信号、「０」信号、「Ｐ」信号の３種類の信号パターンから構成され、それぞれの信号パターンは、１秒（ｓ）の中の１００％振幅期間幅によって区別されている。「１」信号を表す場合には、１秒（ｓ）の間に５００ｍｓ（０．５ｓ）だけ所定の周波数の所定の１００％振幅期間の信号が送信され、「０」信号を表す場合には、１秒の間に、８００ｍｓ（０．８ｓ）だけ所定の周波数の信号が送信され、「Ｐ」信号を表す場合には、１秒（ｓ）の間に２００ｍｓ（０．２ｓ）だけ所定の周波数が送信されてくる。
【００２１】
標準電波放送局からの検波信号受信が成功した場合には、図２（ｂ）に示すように標準電波信号の波形に応じたパルス信号が受信装置２２より出力される。
この場合には、制御回路３は受信した標準電波の受信状態が予め規定された正常な基準電範囲内にあるものとみなす。
【００２２】
一方、受信状態が基準範囲外にあるとみなす場合は、電波が弱い場合や、ノイズが多い場合である。
電波が非常に弱い場合には、図２（ｃ）に示すように、数個の信号分、パルス信号がローレベル（Ｌ）またはハイレベル（Ｈ）のままになる。
また、ノイズが多い場合には、図２（ｂ）に示すように、電波の波形と無関係にパルス信号のレベルが変化する。
【００２３】
なお、日本の標準電波ＪＪＹは、独立行政法人通信総合研究所（ＣＲＬ）のもとで運用されている。また、変調波であるパルス信号ＰＬの振幅は最大１００％、最小１０％である。
【００２４】
次に、長波標準電波の送信データについて説明する。
図３（ａ），（ｂ）は、標準電波信号のタイムコードの一部である。
タイムコードは、図３（ａ），（ｂ）に示すように、１分１周期（１フレーム）としてこれを、６０分割し、１秒ごとに１ビットの情報を割り当てて送信している。
【００２５】
タイムコードが送信する情報は、時、分、１月１日からの通算日、年（西暦下２桁）、曜日に関しては、２進数（ＢＣＤ（Binary coded decimal notation ２進化１０進法）正論理）として表し送信する。
従って、時には２４時間制ＪＳＴの時を表すために６ビット、分には７ビット、通算日には１０ビット、年には８ビット、曜日には３ビットが必要となる。
【００２６】
なお、秒信号については、秒は電波のパルス信号の立ち上がりとし、パルスの立ち上がりの５５％（１０％値と１００％値の中央）が標準時の１秒信号に同期する。
【００２７】
Ｐ信号は１フレームに７回送信され、正分（０秒）に対応するものがマーカＭと呼ばれ、９秒、１９秒、２９秒、３９秒、４９秒に対応するものが、それぞれポジションマーカＰ１〜Ｐ５と呼ばれる。
なお、もう一つのポジションマーカＰ０は、通常（非うるう秒時）は５９秒の立ち上がりに対応する。
【００２８】
このＰ信号が続けて現れるのは１フレーム中１回で、５９秒、０秒のとき、つまりポジションマーカＰ０、マーカＭと続くときだけ、この続けて現れる位置が正分位置となる。つまり分・時データ等の時刻データは、この正分位置を基準としてフレーム中の位置が決まっているため、この正分位置の検出を正確に行い、時刻データを取り出す。
【００２９】
ただし、標準電波のフレームのフォーマットは毎分同じではなく、図３（ａ）に示すように、毎時１５分および４５分時以外のフォーマットと、図３（ｂ）に示すように、それ毎時１５分および４５分の時刻のフォーマットは、異なっている。ＳＵ１、ＳＵ２と名付けられた予備ビットと、ＬＳ１、ＬＳ２と名付けられたうるう秒情報は、呼び出し符号と停波情報が、年情報と曜日情報の代わりに１５分、４５分のフォーマットにのみ現れる。
【００３０】
このように、タイムコードを含む標準電波を受信し、そこから得られるパルス信号をデコードすることにより、標準時刻を入手することができる。
電波修正時計は得られた標準時刻に基づいて、計時される計時時刻を修正する。
【００３１】
図１に記載の制御回路３は、例えば、演算器３１、３０進カウンタ３２、２０進カウンタ３３と１０進カウンタ３４を有し、各カウンタ３２〜３４は包絡線検波信号Ｓ２３、内部タイマ信号Ｓ３１、３０進カウントアップ信号Ｓ３２、２０進カウントアップ信号Ｓ３３と１０進カウントアップ信号Ｓ３４によって制御されるゲート群４に接続されている。
包絡線検波信号Ｓ２３もしくは内部タイマ信号Ｓ３１のいづれか一方がオフの場合にはゲート群４はオフになり、各カウンタ３２−３４は包絡線検波信号Ｓ２３をカウントしない。
時刻修正時には、演算器より出力される内部タイマ信号Ｓ３１と包絡線検波信号Ｓ２３がゲート群４に入力される。また、３０進カウントアップ信号Ｓ３２、２０進カウントアップ信号Ｓ３３、１０進カウントアップ信号Ｓ３４のいずれかが、ゲート群４のいずれかに入力されると、各カウントアップ信号に対応したカウンタ３２〜３４のいずれかが所定時間カウントを開始する。カウンタ３２〜３４のいずれかが、それぞれの所定カウント数に達すると、カウンタ３２〜３４から各カウンタに対応したカウントアップ信号Ｓ３２〜３４のいづれかに出力され、ゲート群４はオフに切り替わり、包絡線検波信号Ｓ２３の制御回路３への入力が遮断され、演算器３１により時刻修正が行われる。  
【００３２】
また制御回路３は、例えば、水晶発振子５（周波数：３２．７６８ｋＨｚ）、内部時計周囲の温度を検知する温度センサ部６、および時刻修正の実行を報知する報知部７がそれぞれ接続されている。
【００３３】
本実施形態に係る電波修正時計１は、温度センサ部６により、内部時計周辺部の温度を一定時間間隔で検出し、水晶発振子５の標準温度での周波数と時刻修正時における内部時計周辺部の温度での周波数との誤差を所定時間累積することにより、内部時計の時刻が標準時刻に対してどの程度誤差が生じているかを算出する。時刻修正の実行前に、あらかじめ時刻誤差を算出することで、標準電波信号に含まれる時刻修正に必要な情報を取捨選択し、受信する。
例えば、標準時刻より数秒間のずれがある場合は、時刻修正に必要な最小の時間単位、この場合は秒情報を標準時刻信号から受信して時刻を修正する。
【００３４】
水晶発振子５には２次温度係数が存在し、前記２次温度係数により音叉型水晶発振子の周波数の標準温度からのずれから、およその時間誤差を算出できる。
【００３５】
図４は、音叉型水晶発振子５の温度（℃）と日差（秒／日）の関係を表す温度特性の典型的な一例である。
また、標準温度は（＋２５℃±５℃）を基準にしており、測定温度が標準温度から離れるに従い、日差の絶対値は増加する。
【００３６】
次に、音叉型水晶発振子５の温度特性による周波数誤差の算出方法を説明する。
【００３７】
一般的には、周期３２．７６８ｋＨｚの音叉型水晶発振子５は標準温度（＋２５℃±５℃）を基準にして、前記標準温度と内部時計１の周辺部の温度測定時との温度差を＜℃＞とすると、周波数偏差ΔＦ（ｐｐｍ）は、
【００３８】
（数１）ΔＦ＝−０．０３５×＜℃＞×＜℃＞ｐｐｍ
である。
なお、標準温度点を０ｐｐｍとする。
【００３９】
例えば、０〜５０℃の温度範囲の場合は、（＋２５℃±２５℃）であるので、周波数偏差ΔＦ（ｐｐｍ）は、
【００４０】
（数２）
ΔＦ＝−０．０３５×｜±２５｜×｜±２５｜＝−２１．８７５ｐｐｍ
となる。
【００４１】
ここで、上記周波数偏差ΔＦ（ｐｐｍ）は標準値である。公差は最大で、±２０％以下である。上式［数１］に常温偏差の値を加えたものが、最大偏差となる。
また、測定温度が標準温度から離れるほど、高温低温に係らず周波数は低下する。
【００４２】
本実施形態に係る制御回路３は、上記に述べた温度特性によって、内部時計の標準時刻からの誤差を算出し、所定時間累積する。
前記累積誤差に対し、基準マーカとポジション、または、基準マーカと分情報、または、基準マーカと分情報と時情報、の３通りに分類し、時刻修正に必要な最小時間単位を求める。
【００４３】
温度センサ部６は、たとえば、サーミスタ６２に電源（ＶＤＤ）６１が印加され、サーミスタ６２での温度測定結果を演算器３１に入力する。
【００４４】
ゲート群４は、複数のＡＮＤ素子で構成される。
本発明の実施形態では、例えば、ＡＮＤ素子４１、４２と４３の各入力端子に包絡線検波信号Ｓ２３と演算器３１から所定時間出力される内部タイマ信号Ｓ３１がそれぞれ入力される。
ＡＮＤ素子４１の出力はＡＮＤ素子４４の入力端子へ、ＡＮＤ素子４２の出力はＡＮＤ素子４５の入力端子へ、ＡＮＤ素子４３の出力はＡＮＤ素子４６の入力端子へ接続されている。
【００４５】
ＡＮＤ素子４１、４２と４３は、それぞれ包絡線検波信号Ｓ３２と内部タイマ信号Ｓ３１の有無を判断し、包絡線検波信号Ｓ３２と内部タイマ信号Ｓ３１が各ＡＮＤ素子４１〜４３に入力されている場合には、ＡＮＤ素子４１、４２と４３は信号を出力し、包絡線検波信号Ｓ３２もしくは内部タイマ信号Ｓ３１のどちらか一方しかＡＮＤ素子４１〜４３に入力されていなければ、ＡＮＤ素子４１、４２と４３は上記信号を遮断する。
【００４６】
ＡＮＤ素子４４の入力端子には、ＡＮＤ素子４１の出力と、３０進カウントアップ信号Ｓ３２が入力され、ＡＮＤ素子４４の出力端子は３０進カウンタ３２の入力に接続されている。
ＡＮＤ素子４５の入力端子には、ＡＮＤ素子４２の出力と、２０進カウントアップ信号Ｓ３３が入力され、ＡＮＤ素子４５の出力端子は２０進カウンタ３３の入力に接続されている。
ＡＮＤ素子４６の入力端子には、ＡＮＤ素子４３の出力と、１０進カウントアップ信号Ｓ３４が入力され、ＡＮＤ素子４６の出力端子は１０進カウンタ３４の入力に接続されている。
【００４７】
いま、包絡線検波信号Ｓ３２と内部タイマ信号Ｓ３１が各ＡＮＤ素子４１、４２と４３に入力され、各ＡＮＤ素子４１、４２と４３がオンの状態を仮定する。
この時、ＡＮＤ素子４４は３０進カウントアップ信号Ｓ３２がローレベルに切り替わると、包絡線検波信号Ｓ３２を３０進カウンタ３２に入力させる。
また、ＡＮＤ素子４５は２０進カウントアップ信号Ｓ３３がローレベルに切り替わると、包絡線検波信号Ｓ３２を２０進カウンタ３２に入力させる。
また、ＡＮＤ素子４６は１０進カウントアップ信号Ｓ３４がローレベルに切り替わると、包絡線検波信号Ｓ３２を１０進カウンタ３４に入力させる。
上記例とは逆に、ＡＮＤ素子４４は３０進カウントアップ信号Ｓ３２がハイレベルに切り替わると、包絡線検波信号Ｓ３２の３０進カウンタ３２への入力を遮断する。
また、ＡＮＤ素子４５は２０進カウントアップ信号Ｓ３３がハイレベルに切り替わると、包絡線検波信号Ｓ３２の２０進カウンタ３２への入力を遮断する。
また、ＡＮＤ素子４６は１０進カウントアップ信号Ｓ３４がハイレベルに切り替わると、包絡線検波信号Ｓ３２の１０進カウンタ３４への入力を遮断する。
【００４８】
標準電波信号を受信する際、時刻修正に必要な情報を取捨選択するため、本実施形態に係る電波修正時計１では、所定時間包絡線検波信号Ｓ２３を各カウンタ３２、３３と３４に入力し、包絡線検波信号Ｓ２３をカウントし、各カウンタのカウント値に応じて場合分けを行う。
【００４９】
本発明の実施形態では、３０進カウンタ３２が３０秒間で３０クロックカウントした場合、包絡線検波信号Ｓ２３にノイズはないと判断し、秒・分・時情報を取得し、時刻修正を行う。３０進カウンタ３２が３０秒間で３０クロック以下または、３０クロック以上カウントした場合、すべての時刻情報取得を中止し、２０進カウンタ３３の状態を参照する。
【００５０】
上記実施形態で、２０進カウンタ３３が３０秒間で２０カウントに要した時間と１０秒を合計した時間が３０秒である場合は、包絡線検波信号２３に弱いノイズが含まれると判断し、基準マーカと分情報の取得を行い、時刻修正を行う。
２０進カウンタ３３が３０秒間で２０カウントに要した時間と１０秒を合計した時間が３０秒以上あるいは３０秒未満である場合は、すべての情報の取得を中止し、１０進カウンタ３４の状態を参照する。
【００５１】
上記実施形態で、１０進カウンタ３４が３０秒間で１０カウントに要した時間と２０秒を合計した時間が３０秒である場合は、包絡線検波信号２３に中程度のノイズが含まれると判断し、基準マーカとポジションの取得を行い、時刻修正を行う。
１０進カウンタ３４が３０秒間で１０カウントに要した時間と２０秒を合計した時間が３０秒以上あるいは３０秒未満である場合は、すべての情報取得を中断し、通常動作に戻る。
【００５２】
報知回路７は、時刻修正が行われる場合に、秒情報、分情報、時情報ごとに時刻修正の実行を例えば、少なくとも一つ以上の発光素子を用いて報知する。
【００５３】
報知回路７は本発明の実施形態の一つで、３つのＬＥＤ７２、７３と７４を有し、一つのＬＥＤが秒、分もしくは時のいづれか一つを表す。本発明の実施形態では、ＬＥＤ７２が秒、ＬＥＤ７３が分、ＬＥＤ７４が時を表す。
また、各ＬＥＤのアノードには電源（ＶＤＤ）７１が接続されている。さらに、報知回路７はトランジスタ７５，７６と７７を有し、各トランジスタ７５〜７７のコレクタ端子は、各ＬＥＤ７２〜７４のカソードに接続され、各トランジスタ７５〜７７の各エミッタ端子は接地され、各トランジスタ７５〜７７の各ベース端子は、制御回路３に接続されている。
【００５４】
報知回路７は時刻修正が行われる際に、制御回路３から秒、分、時の少なくともいづれか一つの信号が報知回路７に送られ、各トランジスタ７２〜７４はオンとなり、時刻修正が実行される秒、分、時のいづれか少なくとも一つ以上のＬＥＤが点滅する。
たとえば、秒情報のみ時刻修正が行われる場合は、秒情報用のＬＥＤ７２が点滅し、秒、分、時すべての時刻修正が行われる場合は、すべてのＬＥＤ７２〜７４が点滅する。
【００５５】
図５に本発明の電波修正時計１の実施形態を示す。
【００５６】
次に、本発明の実施形態による時刻修正の処理手順を図６と図７に示す。
【００５７】
図６および図７はある任意の時刻を起点に、時刻修正工程の開始（ＳＴＡＲＴ）から、時刻修正の必要がある場合には、秒、分、時の何れか一つ以上の時刻修正が完了するまでの過程を示す。
なお、図６に記載のＡ，Ｂ，Ｃは、図７に記載のＡ，Ｂ，Ｃとそれぞれ連結している。
【００５８】
本実施形態の電波修正時計１では、温度センサ６によって６０秒ごと（ＳＴ１）に内部時計周辺の温度測定を行う（ＳＴ２）。当該温度測定結果をデータ表と参照して２次温度係数により周波数誤差を算出し（ＳＴ３）、周波数誤差を６０分間累積する（ＳＴ４）。
【００５９】
ステップＳＴ５で、累積周波数誤差が１秒以上６０秒未満である場合、内部時計が標準時刻より秒単位でずれていると判断し、秒を表すＬＥＤ７２が点滅する（ＳＴ６）。
上記ステップＳＴ５で、累積周波数誤差が１秒以上６０秒未満でない場合、ステップＳＴ７で、累積周波数誤差が６０分未満か否かの判定が行われ、累積周波数誤差が６０分未満である場合、分を表すＬＥＤ７３が点滅し（ＳＴ８）、ステップＳＴ７で、累積周波数誤差が６０分未満でない場合、時を表すＬＥＤ７４が点滅する（ＳＴ９）。
【００６０】
上記時刻修正工程の開始点（ＳＴＡＲＴ）から６０分経過した時点で、標準電波信号の受信を行うか否かの判定を行う（ＳＴ１０）。
【００６１】
ステップＳＴ１０で経過時刻が６０分未満と判断された場合、初期動作（ＳＴＡＲＴ）に戻り、ステップＳＴ１０で経過時刻が６０分以上であれば、累積周波数誤差による場合わけを行う。
この時点で、リセット信号Ｓ３５がハイレベルになり、すべてのカウンタ３２〜３４はリセットされ、各カウントアップ信号Ｓ３２〜Ｓ３４はローレベルに維持される。
【００６２】
ステップＳＴ１１で、累積周波数誤差が１秒未満と判断された場合、内部タイマ出力信号Ｓ３１はハイレベルに切り替わり、３０秒間ハイレベルに維持され（ＳＴ１２）、ゲート群４のＡＮＤ素子４１〜４３はオンとなり、１０進カウンタ用信号Ｓ３４はローレベルとなり、ＡＮＤ素子４６がオンとなり、１０進カウンタ３４のカウントが開始される（ＳＴ１３）。
なお、この時点では、カウントアップ信号Ｓ３２、Ｓ３３はハイレベルに維持され、ＡＮＤ素子４４，４５はオフを維持している。
【００６３】
３０秒間１０進カウンタ３４で包絡線検波信号Ｓ２３を１０カウントした後、カウントアップ信号Ｓ３４はハイレベルに切り替わり、ステップＳＴ１４で、１０進カウンタ３４に入力された包絡線検波信号Ｓ２３が、３０秒間で１０カウントに要する時間と２０秒の合計が３０秒と判断された場合、標準電波信号にノイズが含まれると判断し、基準マーカと３回のポジション受信を行い（ＳＴ１５）受信完了後（ＳＴ１６）、秒の時刻修正を行い（ＳＴ１７）、リセット信号Ｒがハイレベルに切り替わり秒累積誤差をリセットして（ＳＴ１６）初期動作（ＳＴＡＲＴ）にもどる。
【００６４】
上記ステップＳＴ１４で、１０クロックカウントに要する時間と２０秒の合計が３０秒以上もしくは３０秒未満と判断された場合、標準電波信号の取得を中止し、初期動作（ＳＴＡＲＴ）にもどる。
【００６５】
ステップ１１で累積周波数誤差が１秒以上と判断され、ステップ１９で累積周波数誤差が６０分未満と判断された場合（ＳＴ１９）、内部タイマ出力信号Ｓ３１はハイレベルに切り替わり、３０秒間ハイレベルに維持され（ＳＴ２０）、ゲート群４のＡＮＤ素子４１〜４３はオンとなり、１０進カウンタ用信号Ｓ３４と、２０進カウンタ用信号Ｓ３３はローレベルとなり、ＡＮＤ素子４５と４６がオンとなり、１０進カウンタ３４と２０進カウンタ３３のカウントが開始される（ＳＴ２１）。
なお、この時点では、カウントアップ信号Ｓ３２はハイレベルに維持され、ＡＮＤ素子４４はオフを維持している。
【００６６】
３０秒間１０進カウンタ３４で包絡線検波信号Ｓ２３を１０カウントし、２０進カウンタ３３で包絡線検波信号Ｓ２３を２０カウントした後、カウントアップ信号Ｓ３３〜Ｓ３４はそれぞれハイレベルに切り替わり、ステップＳＴ２２で、２０進カウンタ３３に入力された包絡線検波信号Ｓ２３が、３０秒間で２０カウントに要する時間と１０秒の合計が３０秒である場合、標準電波信号に弱いノイズが含まれると判断し、基準マーカと分情報の受信を行い（ＳＴ２３）、受信完了後（ＳＴ２４）、分と秒の時刻修正を行う（ＳＴ２５）。
【００６７】
ステップＳＴ２５で時刻修正を行った後、累積周波数誤差が６０分以下であると判断された場合（ＳＴ２６）、リセット信号Ｒがハイレベルに切り替わり、秒、分、時累積誤差をリセットして（ＳＴ２７）初期動作（ＳＴＡＲＴ）にもどる。
ステップＳＴ２５で時刻修正を行った後、累積周波数誤差が６０分以下でない場合、リセット信号Ｒがハイレベルに切り替わり、秒、分、累積誤差をリセットして（ＳＴ２８）初期動作（ＳＴＡＲＴ）にもどる。
【００６８】
ステップＳＴ２２で、２０進カウンタ３３に入力された包絡線検波信号Ｓ２３が、３０秒間で２０カウントに要する時間と１０秒の合計が３０秒以上あるいは３０秒未満である場合、ステップＳＴ１４へ進み１０進カウンタ３４の状態を確認する。
【００６９】
ステップＳＴ１１で累積周波数誤差が１秒以上と判断され、ステップＳＴ１９で累積周波数誤差が６０分以上と判断された場合、内部タイマ出力信号Ｓ３１はハイレベルに切り替わり、３０秒間ハイレベルに維持され（ＳＴ２９）、ゲート群４のＡＮＤ素子４１〜４３はオンとなり、１０進カウンタ用信号Ｓ３４と、２０進カウンタ用信号Ｓ３３と、３０進カウンタ用信号Ｓ３２はローレベルとなり、ＡＮＤ素子４４〜４６がオンとなり、１０進カウンタ３４と２０進カウンタ３３と３０進カウンタ３２のカウントが開始される（ＳＴ３０）。
【００７０】
３０秒間１０進カウンタ３４で包絡線検波信号Ｓ２３を１０カウントし、２０進カウンタ３３で包絡線検波信号Ｓ２３を２０カウントし、３０進カウンタ３２で包絡線検波信号Ｓ２３を３０カウントした後、カウントアップ信号Ｓ３２〜Ｓ３４はそれぞれハイレベルに切り替わり、ステップＳＴ３１で、３０進カウンタ３２に入力された包絡線検波信号Ｓ２３が、３０秒間で３０クロックである場合、標準電波信号にノイズがないと判断し、６０秒間タイムコードを受信し（ＳＴ３２）、受信完了後（ＳＴ３３）、秒、分、時の時刻修正を行い（ＳＴ３４）、リセット信号Ｒがハイレベルに切り替わり秒、分、時累積誤差をリセットして（ＳＴ３５）初期動作（ＳＴＡＲＴ）にもどる。
【００７１】
ステップＳＴ３１で、３０クロックカウントに要する時間が３０秒以上もしくは３０秒未満と判断された場合、ステップＳＴ２２へ進み２０進カウンタ３３の状態を確認する。
【００７２】
上記いづれの場合も、標準電波受信が完了しなかった場合は（ＳＴ１６、ＳＴ２４、ＳＴ３３）、初期動作（ＳＴＡＲＴ）に戻る。
【００７３】
図８に本発明の実施形態によるタイムチャートの一実施例を示す。
ただし、図８は図７記載のステップＳＴ１７で累積周波数誤差が６０分以上の場合について示したものであり、本タイムチャートの説明も図７記載のステップ２９からステップ３５までの動作について述べる。  
なお、図８に記載の数字１〜３１は包絡線検波信号Ｓ２３のクロックの番号を示し、クロック番号１が包絡線検波信号Ｓ２３のカウント開始時とする。
【００７４】
包絡線検波信号Ｓ２３のクロックをカウントする直前に、リセット信号Ｓ３５がハイレベルになり、すべてのカウンタ３２〜３４はリセットされ、各カウントアップ信号Ｓ３２〜Ｓ３４はローレベルに維持される。
累積周波数誤差が６０分以上の場合、内部タイマ出力信号Ｓ３１はハイレベルに切り替わり、３０秒間ハイレベルに維持され、ゲート群４のＡＮＤ素子４１〜４３はオンとなり、１０進カウンタ用信号Ｓ３４と、２０進カウンタ用信号Ｓ３３と、３０進カウンタ用信号Ｓ３２はローレベルとなり、ＡＮＤ素子４４〜４６がオンとなり、包絡線検波信号Ｓ２３が各カウンタへ入力され、１０進カウンタ３４と２０進カウンタ３３と３０進カウンタ３２のカウントが開始される。
【００７５】
３０秒間１０進カウンタ３４で包絡線検波信号Ｓ２３を１０カウントした後、カウントアップ信号Ｓ３４はハイレベルに切り替わり、２０進カウンタ３３で包絡線検波信号Ｓ２３を２０カウントした後、カウントアップ信号Ｓ３３はハイレベルに切り替わり、３０進カウンタ３２で包絡線検波信号Ｓ２３を３０カウントした後、カウントアップ信号Ｓ３２はハイレベルに切り替わる。
【００７６】
３０進カウンタ３２に入力された包絡線検波信号Ｓ２３が、３０秒間で３０クロックである場合、標準電波信号にノイズがないと判断し、６０秒間タイムコードを受信し、受信完了後、秒、分、時の時刻修正を行い、リセット信号Ｒがハイレベルに切り替わり秒、分、時累積誤差をリセットして初期動作にもどる。
【００７７】
３０進カウンタ３２に入力された包絡線検波信号Ｓ２３において、３０クロックカウントに要する時間が３０秒以上もしくは３０秒未満と判断された場合、２０進カウンタ３３の状態を確認する。
２０進カウンタ３３で、３０秒間で２０カウントに要する時間と１０秒の合計が３０秒である場合、標準電波信号に弱いノイズが含まれると判断し、基準マーカと分情報の受信を行い、受信完了後、分と秒の時刻修正を行う。
上記時刻修正を行った後、累積周波数誤差が６０分以下であると判断された場合、リセット信号Ｒがハイレベルに切り替わり、秒、分、時累積誤差をリセットして初期動作にもどる。
上記時刻修正を行った後、累積周波数誤差が６０分以下でない場合、リセット信号Ｒがハイレベルに切り替わり、秒、分、累積誤差をリセットして初期動作にもどる。
【００７８】
３０進カウンタ３２に入力された包絡線検波信号Ｓ２３において、３０クロックカウントに要する時間が３０秒以上もしくは３０秒未満と判断され、かつ、２０進カウンタ３３で、３０秒間で２０カウントに要する時間と１０秒の合計が３０秒以上あるいは３０秒未満と判断された場合、１０進カウンタ３４の状態を確認する。
カウンタ３４が３０秒間で１０カウントに要する時間と２０秒の合計が３０秒と判断された場合、標準電波信号にノイズが含まれると判断し、基準マーカと３回のポジション受信を行い、受信完了後、秒の時刻修正を行い、リセット信号Ｒがハイレベルに切り替わり秒累積誤差をリセットして、初期動作にもどる。
カウンタ３４が３０秒間で１０クロックカウントに要する時間と２０秒の合計が３０秒以上もしくは３０秒未満と判断された場合、標準電波信号の取得を中止し、初期動作にもどる。
【００７９】
以上説明したように、本発明は、内部時計周辺の温度を測定し、水晶発振子の測定温度と標準温度との累積周波数誤差を所定時間求める。また、標準電波信号に含まれる包絡線検波出力波形が所定時間内に内部カウンタに入力されるクロックをカウントし、前記累積周波数誤差とカウント値より、時刻修正に必要な情報を取捨選択して受信する。そのため、本発明はノイズによる時刻修正への影響を低減することができ、また、時刻修正にかかる時間を最小限に抑えることができ、効率のよい時刻修正を行うことができる。
【図面の簡単な説明】
【００８０】
【図１】本発明に係る電波修正時計の制御回路の一実施例を示す回路構成図である。
【図２】本発明に係る制御回路における電波受信状態を説明するための図である。（ａ）は標準電波信号の一具体例、（ｂ）は受信状態のよい場合の出力波形の一具体例、（ｃ）は電波が非常に弱い場合の出力波形の一具体例、（ｄ）はノイズが多い場合の出力波形の一具体例を示す。
【図３】標準時刻電波信号の時刻コードの一例である。
【図４】図１に示した水晶発振子の温度特性の一例を示す。
【図５】本発明の電波修正時計の概観の一具体例で、図中のＬＥＤは図１記載の報知回路による一表示例である。
【図６】図１に示した電波修正時計の動作の一具体例を示すフローチャートである。
【図７】図１に示した電波修正時計の動作の一具体例を示すフローチャートである。
【図８】図１に示した電波修正時計の動作の一具体例を示すタイムチャートである。
【符号の説明】
【００８１】
１…電波修正時計、２…標準電波信号受信系、３…制御回路、４…ゲート群、５…水晶発振子、６…温度センサ、７…報知回路
【図１】
2008032583.tif 000003
【図２】
2008032583.tif 000004
【図３】
2008032583.tif 000005
【図４】
2008032583.tif 000006
【図５】
2008032583.tif 000007
【図６】
2008032583.tif 000008
【図７】
2008032583.tif 000009
【図８】
2008032583.tif 000010